(57)【特許請求の範囲】
【請求項１】
音声映像信号伝送インターフェース装置であって、
左サウンド・チャンネル・インターフェースと、右サウンド・チャンネル・インターフェースと、マルチメディア端子インターフェースと、接地インターフェースとを備え、
電圧検出点が前記マルチメディア端子インターフェースの回路内に設定され、第１の電源が第１の抵抗器を介して前記電圧検出点に接続され、
前記装置は更に、電圧検出モジュールと、判定モジュールと、制御モジュールと、一方の端部が前記電圧検出点に接続され他方の端部が電源に接続されている第２の抵抗器とを備え、
前記電圧検出モジュールは、挿入されている音声映像信号伝送ラインのマルチメディア端子の前記電圧検出点で電圧値を検出するよう構成され、ここで、前記音声映像信号伝送ラインの前記マルチメディア端子は、音声映像端子またはマイクロホン端子を備え、前記第２の抵抗器の抵抗値は、前記音声映像端子の内部抵抗値より大きく、かつ、前記装置のインターフェースラインシーケンスに適合しないリバース接続状態にある前記マイクロホン端子の内部抵抗値より小さく、
前記判定モジュールは、前記電圧検出モジュールの検出結果に応じて前記音声映像信号伝送ラインの種類を判定するよう構成され、
前記制御モジュールは、前記判定モジュールの判定結果に応じて処理を実行するよう構成されている、
音声映像信号伝送インターフェース装置。
【請求項２】
前記第１の抵抗器および前記第２の抵抗器は並列接続され、前記第２の抵抗器に接続されている前記電源は前記第１の電源である、請求項１に記載の装置。
【請求項３】
前記第２の抵抗器に接続されている前記電源は第２の電源であり、前記第２の電源は、前記第２の抵抗器をオフに切り替えるためにオフに切り替えられることがあり、前記第２の電源は、前記第２の抵抗器をオンに切り替えるためにオンに切り替えられることがあり、前記第１の電源は、前記第１の抵抗器をオンに切り替えるためにオンに切り替えられることがあり、前記第１の電源は、前記第１の抵抗器をオフに切り替えるためにオフに切り替えられることがある、請求項１に記載の装置。
【請求項４】
電源制御ラインにより制御され、前記マルチメディア端子インターフェースと前記接地インターフェースとの間に位置しているアナログスイッチを前記装置が更に備え、前記電源制御ラインは、前記マルチメディア端子インターフェースと前記接地インターフェースとの間でラインシーケンスを切り替えるために出力レベルを切り替えることにより前記アナログスイッチを制御する、請求項１から３のいずれか１項に記載の装置。
【請求項５】
前記第１の抵抗器の抵抗値が１５００オームから３０００オームまでの範囲にあり、前記第２の抵抗器の前記抵抗値は１５０オームから３５０オームまでの範囲にある、請求項１から３のいずれか１項に記載の装置。
【請求項６】
挿入された音声映像信号伝送ラインを、請求項１に記載された前記インターフェース装置により処理する方法であって、
前記音声映像信号伝送ラインが前記インターフェース装置に挿入された後、前記第１の抵抗器がオンであり、前記第２の抵抗器がオフであるとき、前記音声映像信号伝送ライン内の前記マルチメディア端子の第１の電圧値を前記電圧検出モジュールにより測定することと、
前記判定モジュールにより、前記第１の電圧値が第１の閾値より大きいかまたは第３の閾値より小さいか否かを判定し、肯定的である場合、前記音声映像信号伝送ラインは前記装置のインターフェースラインシーケンスに適合するイヤホンであると判定し、そうではない場合、動作するように前記制御モジュールをトリガーすることと、
ここで、前記第１の閾値は前記第３の閾値より大きく、
前記制御モジュールにより、前記第１の抵抗器をオフに切り替え、前記第２の抵抗器をオンに切り替え、電圧を再測定するように前記電圧検出モジュールをトリガーすることと、ここで、前記電圧検出モジュールは、前記制御モジュールによるトリガーに応じて前記音声映像信号伝送ライン内の前記マルチメディア端子の第２の電圧値を更に測定し、
前記判定モジュールにより、前記第２の電圧値と第２の閾値とを更に比較し、前記第２の電圧値が前記第２の閾値以下である場合、前記音声映像信号伝送ラインが音声映像データラインであると判定し、そうではない場合、前記音声映像信号伝送ラインが前記装置の前記インターフェースラインシーケンスに適合しないイヤホンであると判定し、判定結果を前記制御モジュールに送信することと、
ここで、前記第２の閾値が前記第１の閾値より小さく、かつ、前記第３の閾値より大きく、
前記音声映像信号伝送ラインが前記音声映像データラインである場合、前記制御モジュールにより、更に前記第２の抵抗器をオフに切り替え、前記第１の抵抗器をオンに切り替え、前記音声映像データラインが挿入されていることに関するメッセージを報告することと、
前記音声映像信号伝送ラインが前記装置の前記インターフェースラインシーケンスに適合しない前記イヤホンである場合、前記制御モジュールにより、更に前記第２の抵抗器をオフに切り替え、前記第１の抵抗器をオンに切り替え、前記マルチメディア端子インターフェースおよび前記接地インターフェースのラインシーケンスを切り替えることと、
を備える方法。
【請求項７】
前記インターフェース装置の前記インターフェースラインシーケンスが前記左サウンド・チャンネル・インターフェース−前記右サウンド・チャンネル・インターフェース−前記接地インターフェース−前記マルチメディア端子インターフェースであり、前記音声映像データラインが検出された後に、
前記制御モジュールにより、前記マルチメディア端子インターフェースおよび前記接地インターフェースのラインシーケンスを切り替えることを更に備える、
請求項６に記載の方法。
【請求項８】
前記マルチメディア端子インターフェースと前記接地インターフェースとの間の前記ラインシーケンスを切り替えることは、
前記マルチメディア端子インターフェースと前記接地インターフェースとの間に設けられているアナログスイッチを制御することにより前記マルチメディア端子インターフェースと前記接地インターフェースとの間の前記ラインシーケンスを切り替えることを備える、
請求項６に記載の方法。
【請求項９】
前記第３の閾値の値範囲が０．３Ｖより小さい、請求項６から８のいずれか１項に記載の方法。
【発明の詳細な説明】
【技術分野】
【０００１】
本発明の実施形態は、音声技術の分野に関し、特に、音声映像信号伝送インターフェース装置および方法に関する。
本出願は、２０１１年３月８日付けで中国特許庁に出願され、発明の名称が“ＡＵＤＩＯ  ＡＮＤ  ＶＩＤＥＯ  ＳＩＧＮＡＬ  ＴＲＡＮＳＭＩＳＳＩＯＮ  ＩＮＴＥＲＦＡＣＥ  ＡＰＰＡＲＡＴＵＳ  ＡＮＤ  ＭＥＴＨＯＤ  ＴＨＥＲＥＯＦ”である中国特許出願第２０１１１００５９１６５．２号の優先権を主張し、この中国特許出願の内容全体が参照によってここに組み込まれる。
【背景技術】
【０００２】
音声映像信号伝送ラインは、コンピュータおよびスマートモバイル端末のような機器により出力された音声信号または音声映像信号をユーザまたは別の機器に伝送するために使用される。音声映像信号伝送ラインは、ワイヤー付きイヤホンと音声映像データラインとを含む。ワイヤー付きイヤホンは、様々なラインシーケンスに応じてＬＲＧイヤホン、ＬＲＭＧイヤホン、およびＬＲＧＭイヤホンに分類される。ＬＲＧイヤホンは、２つのサウンド・チャンネル、すなわち、左サウンド・チャンネルおよび右サウンド・チャンネルを含み、ＬＲＭＧイヤホンおよびＬＲＧＭイヤホンは、共に左右のサウンド・チャンネルおよびマイクロホンを含む。
【０００３】
本発明の実施中に、発明者らは、従来技術が少なくとも以下の問題を有していることを見出した。
【０００４】
現在のところ、音声映像信号伝送ラインに接続されている機器は、機器のインターフェースのラインシーケンスに適合する音声映像信号伝送ラインだけをサポートし、様々な種類の機器および音声映像信号伝送ラインの間で互換性を達成することができない。
【発明の概要】
【発明が解決しようとする課題】
【０００５】
本発明の実施形態は、音声映像信号伝送インターフェース装置および方法を提供し、それにより、様々な種類の機器と音声映像信号伝送ラインとの間の互換性問題を解決する。
【課題を解決するための手段】
【０００６】
本発明の目的は、以下の技術的解決策を使用して達成される。
【０００７】
音声映像信号伝送インターフェース装置は、左サウンド・チャンネル・インターフェースと、右サウンド・チャンネル・インターフェースと、マルチメディア端子インターフェースと、接地インターフェースとを含む。電圧検出点がマルチメディア端子インターフェースの回路内に設定され、第１の電源が第１の抵抗器を介して電圧検出点に接続されている。装置は、電圧検出モジュールと、判定モジュールと、制御モジュールと、一方の端部が電圧検出点に接続され、他方の端部が電源に接続されている第２の抵抗器とを含む。
【０００８】
電圧検出モジュールは、挿入されている音声映像信号伝送ラインのマルチメディア端子の電圧検出点で電圧値を検出するように構成され、ここで、音声映像信号伝送ラインのマルチメディア端子は、音声映像端子またはマイクロホン端子を含み、第２の抵抗器の抵抗値は、音声映像端子の内部抵抗値より大きく、かつ、リバース接続状態にあるマイクロホン端子の内部抵抗値より小さい。
【０００９】
判定モジュールは、電圧検出モジュールの検出結果に応じて音声映像信号伝送ラインの種類を判定するように構成されている。
【００１０】
制御モジュールは、判定モジュールの判定結果に応じて処理を実行するように構成されている。
【００１１】
挿入された音声映像信号伝送ラインを、上記インターフェース装置により処理する方法は、
【００１２】
音声映像信号伝送ラインがインターフェース装置に挿入された後、第１の抵抗器がオンであり、かつ、第２の抵抗器がオフであるとき、音声映像信号伝送ライン内のマルチメディア端子の第１の電圧値を電圧検出モジュールにより測定することと、
【００１３】
判定モジュールにより、第１の電圧値が第１の閾値より大きいかまたは第３の閾値より小さいか否かを判定し、第１の電圧値が第１の閾値より大きいかまたは第３の閾値より小さい場合、音声映像信号伝送ラインは装置のインターフェースラインシーケンスに適合するイヤホンであると判定し、そうではない場合、制御モジュールが動作するように制御モジュールをトリガーすることと、ここで、第１の閾値が第３の閾値より大きく、
【００１４】
制御モジュールにより、第１の抵抗器をオフに切り替え、第２の抵抗器をオンに切り替え、電圧検出モジュールが電圧を再測定するように電圧検出モジュールをトリガーし、制御モジュールによりトリガーされた際に、電圧検出モジュールが音声映像信号伝送ライン内のマルチメディア端子の第２の電圧値を更に測定し、
【００１５】
判定モジュールにより、第２の電圧値を第２の閾値と比較し、第２の電圧値が第２の閾値以下である場合、音声映像信号伝送ラインが音声映像データラインであると判定し、そうではない場合、音声映像信号伝送ラインが装置のインターフェースラインシーケンスに適合しないイヤホンであると判定し、判定結果を制御モジュールに送信することと、ここで、第２の閾値が第１の閾値より小さく、かつ、第３の閾値より大きく、
【００１６】
音声映像信号伝送ラインが音声映像データラインである場合、制御モジュールにより更に第２の抵抗器をオフに切り替え、第１の抵抗器をオンに切り替え、そして音声映像データラインが挿入されていることに関するメッセージを報告することと、
【００１７】
音声映像信号伝送ラインが装置のインターフェースラインシーケンスに適合しないイヤホンである場合、制御モジュールにより更に第２の抵抗器をオフに切り替え、第１の抵抗器をオンに切り替え、マルチメディア端子インターフェースおよび接地インターフェースのラインシーケンスを切り替える（入れ替える）ことと、を含む。
【００１８】
本発明の実施形態において提供された技術的解決策に基づいて、本発明の実施形態では、音声映像端子の抵抗値とリバース接続状態にあるマイクロホン端子の抵抗値との間の抵抗値を有している第２の抵抗器が機器側に追加されているので、（ＬＲＧ（左サウンド・チャンネル−右サウンド・チャンネル−接地ライン）イヤホンのような）３極イヤホン、ＬＲＭＧ（左サウンド・チャンネル−右サウンド・チャンネル−マイクロホン−接地ライン）ラインシーケンスイヤホン、ＬＲＧＭ（左サウンド・チャンネル−右サウンド・チャンネル−接地ライン−マイクロホン）ラインシーケンスイヤホン、および音声映像データラインが正確に識別され、様々なイヤホンに対する適合が実施され、それにより、機器と様々な種類の音声映像信号伝送ラインとの間の互換性を実施する。
【００１９】
本発明の実施形態における技術的解決策をより明瞭に説明するために、実施形態を説明するため必要とされる添付図面を以下で簡単に紹介する。明らかに、以下の説明における添付図面は、本発明の一部の実施形態を示すだけであり、当業者は、創造的な努力を要することなくこれらの添付図面から他の図面を更に得ることがある。
【図面の簡単な説明】
【００２０】
【図１】図１は本発明の実施形態によるインターフェース装置の概略構成図である。
【図２】図２は本発明の実施形態１によるインターフェース装置の概略回路図である。
【図３】図３は本発明の実施形態１によるインターフェース装置に挿入されたＬＲＭＧラインシーケンスイヤホンの概略回路図である。
【図４】図４は本発明の実施形態１によるインターフェース装置に挿入されたＬＲＧＭラインシーケンスイヤホンの概略回路図である。
【図５】図５は本発明の実施形態１によるインターフェース装置に挿入された３極イヤホンの概略回路図である。
【図６】図６は本発明の実施形態１によるインターフェース装置に挿入された音声映像データラインの概略回路図である。
【図７Ａ】図７Ａは本発明の実施形態１によるインターフェース装置の動作フローチャートを示した図である。
【図７Ｂ】図７Ｂは本発明の実施形態１によるインターフェース装置の動作フローチャートを示した図である。
【図８】図８は本発明の実施形態１による互換性処理を受けるインターフェース装置に挿入されたＬＲＧＭラインシーケンスイヤホンの概略回路図である。
【図９】図９は本発明の実施形態２によるインターフェース装置の概略回路図である。
【図１０】図１０は本発明の実施形態３によるインターフェース装置の概略回路図である。
【図１１】図１１は本発明の実施形態３によるインターフェース装置に挿入されたＬＲＧＭラインシーケンスイヤホンの概略回路図である。
【図１２】図１２は本発明の実施形態３によるインターフェース装置に挿入されたＬＲＭＧラインシーケンスイヤホンの概略回路図である。
【図１３】図１３は本発明の実施形態３によるインターフェース装置に挿入された３極イヤホンの概略回路図である。
【図１４】図１４は本発明の実施形態３によるインターフェース装置に挿入された音声映像データラインの概略回路図である。
【図１５Ａ】図１５Ａは本発明の実施形態３によるインターフェース装置の動作フローチャートを示した図である。
【図１５Ｂ】図１５Ｂは本発明の実施形態３によるインターフェース装置の動作フローチャートを示した図である。
【図１６】図１６は本発明の実施形態３による互換性処理を受けるインターフェース装置に挿入されたＬＲＭＧラインシーケンスイヤホンの概略回路図である。
【図１７】図１７は本発明の実施形態４によるインターフェース装置の概略回路図である。
【発明を実施するための形態】
【００２１】
本発明の実施形態における添付図面を参照して本発明の実施形態における技術的解決策を以下で明瞭かつ完全に説明する。明らかに、説明された実施形態は、本発明の実施形態の全部ではなく一部に過ぎない。創造的な努力を要することなく本発明の実施形態に基づいて当業者によって取得されるすべての他の実施形態は、本発明の保護範囲に含まれるべきである。
【００２２】
本発明の実施形態は、音声映像信号伝送インターフェース装置を提供する。図１に示されるように、この装置は、左サウンド・チャンネル・インターフェース１０１と、右サウンド・チャンネル・インターフェース１０２と、マルチメディア端子インターフェース１０３と、接地インターフェース１０４とを含み、電圧検出点がマルチメディア端子インターフェース１０３の回路内に設定され、第１の電源１０５が第１の抵抗器１０６を介して電圧検出点に接続されている。従来技術では、インターフェース装置のラインシーケンスは、一般に、左サウンド・チャンネル・インターフェース−右サウンド・チャンネル・インターフェース−マルチメディア端子インターフェース−接地インターフェース、または左サウンド・チャンネル・インターフェース−右サウンド・チャンネル・インターフェース−接地インターフェース−マルチメディア端子インターフェースである。本発明の実施形態では、インターフェース装置は、上記２つのラインシーケンスを使用することにより例示される。しかし、本発明の実施形態において提供されるインターフェース装置のラインシーケンスは、上記２つの実施モードに限定されないことに注意を要する。動作原理が類似しているので、本発明の実施形態において、他のラインシーケンスからなるインターフェース装置は詳細に説明されない。
【００２３】
機器と様々な種類の音声映像信号伝送ラインとの間の互換性を実施するために、本発明の実施形態において提供されたインターフェース装置は、電圧検出モジュール１０８と、判定モジュール１０９と、制御モジュール１１０と、一方の端部が電圧検出点に接続され、他方の端部が電源に接続されている第２の抵抗器１１１と、を更に含む。電圧検出モジュール１０８は、挿入された音声映像信号伝送ラインのマルチメディア端子の電圧検出点で電圧値を検出するように構成され、判定モジュール１０９は、電圧検出モジュール１０８の検出結果に応じて音声映像信号伝送ラインの種類を判定するように構成され、制御モジュール１１０は、判定モジュール１０９の判定結果に応じて処理を実行するように構成され、処理動作は、限定されることなく、マルチメディア端子インターフェースと接地インターフェースとの間でラインシーケンスを制御することを含む。音声映像信号伝送ラインのマルチメディア端子は、音声映像端子またはマイクロホン端子を含み、音声映像端子は、音声映像データライン内のマルチメディア端子であり、マイクロホン端子は、イヤホン内のマイクロホン端子である。様々なタイプの音声映像信号伝送ラインが検出された電圧値に応じて識別され得ることを確実にするために、第２の抵抗器１１１の抵抗値は、音声映像端子の内部抵抗値より大きく、かつ、リバース接続状態にあるマイクロホン端子の内部抵抗値より小さいことが必要である。
【００２４】
本発明の実施形態において提供されたインターフェース装置は、機器側に取り付けられ、具体的には、機器側のインターフェースであってもよく、または、独立した装置として、機器側のインターフェースに接続されてもよい。判定モジュール１０９および制御モジュール１１０は、具体的には、ＣＰＵにより実施されてもよい。
【００２５】
本発明の実施形態では、音声映像信号伝送ラインは、３極イヤホンと、ＬＲＭＧラインシーケンスイヤホンと、ＬＲＧＭラインシーケンスイヤホンと、音声映像データライン（このラインシーケンスはＬＲＶＧであり、ここで、Ｖは音声映像端子である）とを含む。一般に、第１の抵抗器の抵抗値は、１５００オームから３０００オームまでの範囲にあり、ＬＲＭＧラインシーケンスイヤホンおよびＬＲＧＭラインシーケンスイヤホン内のマルチメディア端子は、マイクロホン端子であり、マイクロホン端子がノーマル接続状態にあるとき、内部抵抗値は、２０００オームから３５００オームまでの範囲にあり、ノーマル接続状態にあるマイクロホン端子の内部抵抗値はリバース接続状態での内部抵抗値の２倍から３倍であり、音声映像データライン内のマルチメディア端子は音声映像端子であり、音声映像端子の抵抗値は約７５オームである。
【００２６】
音声映像信号伝送ラインがインターフェース装置に挿入された後、第１の電源が電力を供給するために使用され、第１の抵抗器が分圧するために使用される場合、第１の電源−第１の抵抗器−伝送ライン側のマルチメディア端子−接地インターフェースのループにおいて（１）ＬＲＭＧラインシーケンスイヤホンのノーマル接続状態におけるマイクロホン端子の抵抗値と第１の抵抗器の抵抗値との間に大きな差がないので、ＬＲＭＧラインシーケンスイヤホンおよびＬＲＧＭラインシーケンスイヤホンのマイクロホン端子がノーマル接続状態にあるとき、イヤホン側の成分電圧と第１の抵抗器の成分電圧との間に大きな差がなく、（２）３極イヤホンがマルチメディア端子を含まないので、３極イヤホンが装置に挿入された後、イヤホン側の成分電圧が殆ど零であり、（３）ＬＲＭＧラインシーケンスイヤホンおよびＬＲＧＭラインシーケンスイヤホンのリバース接続状態におけるマイクロホン端子の抵抗値と、音声映像データラインの音声映像端子の抵抗値とが第１の抵抗器の抵抗値より遙かに小さいので、成分電圧値が同様に第１の抵抗器の成分電圧値より低くなり、第１の抵抗器による分圧のループにおいて、マイクロホン端子がリバース接続状態にあるＬＲＭＧラインシーケンスイヤホンおよびＬＲＧＭラインシーケンスイヤホンと、音声映像データラインとが区別され得ない。
【００２７】
このような場合、分圧は、第２の抵抗器により実行されることがある。第２の抵抗器に接続された電源−第２の抵抗器−伝送ライン側のマイクロホン端子−接地インターフェースのループにおいて、音声映像信号伝送ライン側で電圧値が測定される。ＬＲＭＧラインシーケンスイヤホン（またはＬＲＧＭラインシーケンスイヤホン）のリバース接続状態にあるマイクロホン端子の抵抗値は、音声映像データライン内の音声映像端子の抵抗値より大きい。そのため、分圧を実行するために第２の抵抗器を使用することにより、ループ内のマイクロホン端子がリバース接続状態にあるＬＲＭＧラインシーケンスイヤホン（またはＬＲＧＭラインシーケンスイヤホン）または音声映像データラインを区別できるように、第２の抵抗器の抵抗値は、音声映像端子の抵抗値より大きく、かつ、リバース接続状態にあるマイクロホン端子の抵抗値より小さくなるように設定されてもよい。限定ではなく、例示の目的のため、第２の抵抗器１１１の抵抗値は、１５０から３５０オームまでの範囲にある。上記抵抗値の値範囲と、分圧関係の分析とに基づいて、分圧のための第１の抵抗器を有しているループにおいて、ＬＲＭＧラインシーケンスイヤホン（またはＬＲＧＭラインシーケンスイヤホン）のマイクロホン端子がノーマル接続状態にあるとき、イヤホン側の成分電圧値は、他の種類の伝送ラインの成分電圧値より大きい。そのため、ノーマル接続状態にあるマイクロホン端末を有しているＬＲＭＧラインシーケンスイヤホン（またはＬＲＧＭラインシーケンスイヤホン）が挿入されているか否かを第１の閾値に応じて判定するように、上記抵抗値特性と、第１の電源の電力供給容量とに応じて、第１の閾値が設定される。３極イヤホンの上記特性に応じて、第３の閾値（限定ではなく、例示の目的のため、第３の閾値の値範囲は、０．３Ｖより小さい）が３極イヤホンを識別するため設定される。分圧のための第２の抵抗器を有しているループにおいて、第２の抵抗器の抵抗値は、ＬＲＭＧラインシーケンスイヤホン（またはＬＲＧＭラインシーケンスイヤホン）のリバース接続状態にあるマイクロホン端子の抵抗値より小さく、かつ、音声映像データラインの音声映像端子の抵抗値より大きいので、第２の閾値は、第２の抵抗器に接続された電源の電力供給容量と、上記抵抗値特性とに応じて設定されてもよく、その結果、リバース接続状態にあるマイクロホン端子を有しているＬＲＭＧラインシーケンスイヤホン（またはＬＲＧＭラインシーケンスイヤホン）と音声映像データラインとを区別できるように、第２の閾値は、ＬＲＭＧラインシーケンスイヤホン（またはＬＲＧＭラインシーケンスイヤホン）のマイクロホン端子がリバース接続状態にあるとき、イヤホン側の成分電圧より小さく、かつ、音声映像データラインの音声映像端子の成分電圧より大きい。
【００２８】
本発明の実施形態において提供されたインターフェース装置により、上記設定された閾値に応じて音声映像信号伝送ラインを識別し、音声映像信号伝送ライン互換性の問題を処理する手順は、以下の通りである。
【００２９】
音声映像信号伝送ラインがインターフェース装置に挿入された後、電圧検出モジュール１０８は、第１の抵抗器１０６がオンであり、かつ、第２の抵抗器１１１がオフであるとき、挿入された音声映像信号伝送ライン内のマルチメディア端子の第１の電圧値を測定し、判定モジュール１０９は、第１の電圧値が第１の閾値より大きいか、または、第３の閾値より小さいかを判定し、第１の電圧値が第１の閾値より大きいか、または、第３の閾値より小さい場合、判定モジュールは、音声映像信号伝送ラインがインターフェース装置のインターフェースラインシーケンスに適合しているイヤホンであるか否かを判定し（インターフェース装置のインターフェースラインシーケンスに適合しているイヤホンは、ノーマル接続状態にあるマイクロホン端末を有しているＬＲＭＧイヤホンもしくはＬＲＧＭイヤホン、または、３極イヤホンを指す）、そうではない場合、判定モジュールは、制御モジュール１１０が動作するように制御モジュールをトリガーする（限定ではなく、例示の目的のため、判定モジュール１０９は、識別不可能な信号を制御モジュール１１０に送信し、この信号を使用することにより制御モジュール１１０が動作するようにトリガーしてもよい。そして、制御モジュール１１０は、識別不可能な信号を受信した後、分圧のための第１の抵抗器を有しているループをオフに切り替え、分圧のための第２の抵抗器を有しているループをオンに切り替える）。これに応じて、制御モジュール１１０は、第１の抵抗器１０６をオフに切り替え、第２の抵抗器１１１をオンに切り替え、電圧検出モジュール１０８が電圧を再測定するようにトリガーする。これに応じて、電圧検出モジュール１０８は、制御モジュール１１０によりトリガーされたとき、音声映像信号伝送ライン内のマルチメディア端子の第２の電圧値を更に測定する。判定モジュール１０９は、第２の電圧値を第２の閾値と更に比較し、第２の電圧値が第２の閾値以下である場合、判定モジュールは、音声映像信号伝送ラインが音声映像データラインであると判定する。そうではない場合、判定モジュールは、音声映像信号伝送ラインがインターフェース装置のラインシーケンスに適合していないイヤホンであると判定し（インターフェース装置のラインシーケンスに適合していないイヤホンは、リバース接続状態にあるマイクロホン端子を有しているＬＲＭＧイヤホンまたはＬＲＧＭイヤホンを指す）、判定結果を制御モジュール１１０に送信する（限定ではなく、例示の目的のため、制御モジュール１１０は、判定結果に応じて対応する伝送ライン種類を識別してもよく、その後、対応するアクションを実行してもよい）。
【００３０】
音声映像信号伝送ラインが音声映像データラインである場合、制御モジュール１１０は、更に、第２の抵抗器１１１をオフに切り替え、第１の抵抗器１０６をオンに切り替え、音声映像データラインが挿入されたことに関するメッセージを報告する。
【００３１】
音声映像信号伝送ラインがインターフェース装置のラインシーケンスに適合していないイヤホンである場合、制御モジュール１１０は、更に、第２の抵抗器１１１をオフに切り替え、第１の抵抗器１０６をオンに切り替え、マルチメディア端子インターフェース１０３および接地インターフェース１０４のラインシーケンスを切り替える。マルチメディア端子インターフェース１０３および接地インターフェース１０４の切り替えの具体的な実施モードは、マルチメディア端子インターフェースおよび接地インターフェースのラインシーケンスを切り替えるためにマルチメディア端子インターフェースと接地インターフェースとの間に設けられたアナログスイッチを制御してもよい。これに応じて、電源制御ラインにより制御されるアナログスイッチが、インターフェース装置のマルチメディア端子インターフェース１０３と接地インターフェース１０４との間に更に含まれる。制御モジュール１１０は、電源制御ラインの出力レベルを切り替えることによりアナログスイッチを制御し、それにより、マルチメディア端子インターフェースと接地インターフェースとの間でラインシーケンスを切り替える。たとえば、（１）電源制御ラインが高レベルを出力するとき、アナログスイッチはオフに切り替えられ、マルチメディア端子インターフェース１０３と接地インターフェース１０４との間のラインシーケンスは変更されないままである。または（２）電源制御ラインが高レベルを出力するとき、アナログスイッチはオンに切り替えられ、マルチメディア端子インターフェース１０３と接地インターフェース１０４との間のラインシーケンスが切り替えられる。本発明の実施形態では、（１）におけるアナログスイッチ制御モードが実施例として説明されている。
【００３２】
上記手順を使用することにより、本発明の実施形態において提供されたインターフェース装置は、挿入された様々な種類の音声映像データ伝送ラインを識別することが可能であり、機器と様々な種類の音声映像データ伝送ラインとの間の互換性を実施することが可能である。
【００３３】
本発明の実施形態において提供されたインターフェース装置では、追加された第２の抵抗器１１１は、第１の抵抗器１０６に並列接続されてもよく、第１の電源１０５により給電されてもよい。すなわち、第２の抵抗器１１１に接続された電源は第１の電源１０５である。
【００３４】
回路変更に起因して増大するノイズを低減することに関して、本発明の実施形態において提供される好ましい実施モードは、第２の抵抗器１１１に接続されている第２の電源１１２が追加され、第２の電源１１２をオフに切り替えることにより第２の抵抗器１１１がオフに切り替えられ、第２の電源１１２をオンに切り替えることにより第２の抵抗器１１１がオンに切り替えられ、第１の電源１０５をオフに切り替えることにより第１の抵抗器１０６がオフに切り替えられ、第１の電源１０５をオンに切り替えることにより第１の抵抗器１０６がオンに切り替えられるというものである。第２の電源１１２が追加されているので、既存のインターフェース回路は、殆ど影響を受けることがなく、殆どリスクを伴わない比較的安定した実施モードである。
【００３５】
実際の適用における本発明の実施形態の具体的な実施モードは、以下の通り詳細に説明される。
【００３６】
実施形態１
実施形態１では、図２における音声映像信号伝送インターフェース装置の概略回路図により示されるように、インターフェース装置のラインシーケンスは、左サウンド・チャンネル・インターフェース−右サウンド・チャンネル・インターフェース−マルチメディア端子インターフェース−接地インターフェースである。第２の電源および第２の抵抗器がマルチメディア端子インターフェースの回路上の電圧検出点に設けられている。初期設定により、第２の電源はオフであり、第１の電源はオンであり、電源制御ラインは高レベルを出力する。
【００３７】
音声映像信号伝送ラインがインターフェース装置に挿入された後、伝送ライン側の電圧値は、マルチメディア端子インターフェースの回路に設けられた電圧テスト点（電圧検出点）を使用することにより検出され（この電圧テスト点の位置は図２に示される）、それによって、様々な種類の伝送ラインを識別し、これらの伝送ラインに互換性をもたせる。インターフェース装置に挿入された様々な種類の音声映像データ伝送ラインの概略回路図が図３から図６に示される。図３は、インターフェース装置に挿入されたＬＲＭＧラインシーケンスイヤホンの概略回路図である。図４は、インターフェース装置に挿入されたＬＲＧＭラインシーケンスイヤホンの概略回路図である。図５は、インターフェース装置に挿入された３極イヤホンの概略回路図である。図６は、インターフェース装置に挿入された音声映像データラインの概略回路図である。
【００３８】
音声映像信号伝送ラインがインターフェース装置に挿入された後、以下の動作を含むインターフェース装置の動作手順が図７Ａおよび７Ｂに示される。
【００３９】
Ｓ７０１：電圧検出モジュールは、第１の電圧値を取得するために電圧テスト点で電圧を測定する。次に、Ｓ７０２が実行される。
【００４０】
Ｓ７０２：判定モジュールは、第１の電圧値が第１の閾値より大きいか否かを判定し、第１の電圧値が第１の閾値より大きい場合、Ｓ７０３が実行され、そうではない場合、Ｓ７０４が実行される。
【００４１】
Ｓ７０３：判定モジュールは、ＬＲＭＧラインシーケンスイヤホンが挿入されていることを判定する。
【００４２】
Ｓ７０３における判定結果に基づいて、このラインシーケンスがインターフェース装置のインターフェースラインシーケンスとの整合性を有しているので、音声映像信号は、インターフェース装置による処理なしで伝送されることがある。
【００４３】
Ｓ７０４：判定モジュールは、第１の電圧値が第３の閾値より小さいか否かを判定する。第１の電圧値が第３の閾値より小さい場合、Ｓ７０５が実行される。そうではない場合、判定モジュールは、識別不可能な信号を制御モジュールに送信し、Ｓ７０６が実行される。
【００４４】
Ｓ７０５：判定モジュールは、３極イヤホンが挿入されていることを判定する。
【００４５】
Ｓ７０５における判定結果は、３極イヤホンである。３極イヤホンのラインシーケンスはインターフェース装置のインターフェースラインシーケンスに適合するので、３極イヤホンはインターフェース装置と互換性がある。
【００４６】
Ｓ７０６：制御モジュールは、識別不可能な信号を受信した後、第１の電源をオフに切り替え、第２の電源をオンに切り替えるので、第２の抵抗器が分圧を実行し、次に、Ｓ７０７が実行される。
【００４７】
Ｓ７０７：電圧検出モジュールは、第２の抵抗器が分圧を実行する状況下で、電圧テスト点で第２の電圧値を測定し、Ｓ７０８が実行される。
【００４８】
Ｓ７０８：判定モジュールは、第２の電圧値を第２の閾値と比較し、第２の電圧値が第２の閾値以下である場合、Ｓ７０９が実行され、そうではない場合、Ｓ７１０が実行される。
【００４９】
Ｓ７０９：判定モジュールは、音声映像データラインが挿入されていることを判定し、判定結果を制御モジュールに送信し、次に、Ｓ７１１が実行される。
【００５０】
Ｓ７１０：判定モジュールは、ＬＲＧＭイヤホンが挿入されていることを判定し、判定結果を制御モジュールに送信し、次に、Ｓ７１２が実行される。
【００５１】
Ｓ７１１：制御モジュールは、第２の電源をオフに切り替え、第１の電源をオンに切り替え、音声映像データラインが挿入されていることに関するメッセージを報告するので、機器側は、このメッセージに応じて音声映像信号を出力する。
【００５２】
音声映像データライン内の映像ループは多重化され、音声信号も映像信号も伝送する能力があるので、音声映像データラインが挿入されていることを識別した後、音声映像データラインは、インターフェース装置が位置している機器側と互換性がある。
【００５３】
機器側は、具体的には、音声信号または映像信号を出力することを判定するが、このことは、本発明の範囲に含まれない。
【００５４】
Ｓ７１２：制御モジュールは、第２の電源をオフに切り替え、第１の電源をオンに切り替え、低レベルを出力するように電力制御ラインを制御することによりマルチメディア端子インターフェースと接地インターフェースとの間でラインシーケンスを切り替える。このラインシーケンスの概略回路図は図８に示される。
【００５５】
上記手順において、閾値を判定するシーケンスは、限定ではなく、一例に過ぎないことに注意を要する。当業者は、創造的な努力を要することなくその他のシーケンスに応じて閾値判定を実行することがある。
【００５６】
上記は、一例としてＬＲＭＧラインシーケンスインターフェース装置を使用することによる手順である。インターフェース装置のラインシーケンスがＬＲＶＧであるとき、映像ループは、音声信号および映像信号の両方を伝送する能力があるので、ＬＲＭＧラインシーケンスイヤホンが挿入されたとき、これもまた互換性があり、これの手順は上記と同じである。
【００５７】
本発明の実施形態において提供されたインターフェース装置は、上記動作を使用することにより様々な種類の音声映像データ伝送ラインを識別する能力があり、それによって、機器と様々な種類の音声映像データ伝送ラインとの間の互換性を実施する。
【００５８】
実施形態２
実施形態２では、図９における音声映像信号伝送インターフェース装置の概略回路図により示されるように、インターフェース装置のラインシーケンスは、左サウンド・チャンネル・インターフェース−右サウンド・チャンネル・インターフェース−接地インターフェース−マルチメディア端子インターフェースである（具体的には、ＬＲＧＭラインシーケンスでもよい）。第２の電源および第２の抵抗器が、マルチメディア端子インターフェースの回路上の電圧検出点に設けられている。初期設定により、第２の電源はオフであり、第１の電源はオンであり、電源制御ラインは低レベルを出力する。
【００５９】
本発明の実施形態２において提供されるインターフェース装置では、電源制御ラインは低レベルを出力するので、接地インターフェースおよびマルチメディア端子インターフェースのラインシーケンスが切り替えられる。図９に示されるように、切り替え後の実際のラインシーケンスはＬＲＭＧである。そのため、音声映像信号伝送ラインがインターフェース装置に挿入された後、上記実施形態１における手順が参照されてもよい。違いは、以下の点にある。
【００６０】
Ｓ７１２において、本発明の実施形態２の動作は、制御モジュールが第２の電源をオフに切り替え、第１の電源をオンに切り替え、高レベルを出力するように電源制御ラインを制御することによりマルチメディア端子インターフェースと接地インターフェースとの間でラインシーケンスを切り替え、それによって、インターフェース装置のインターフェースラインシーケンスをＬＲＧＭに切り替えるというものである。
【００６１】
実施形態３
実施形態３では、図１０における音声映像信号伝送インターフェース装置の概略回路図により示されるように、インターフェース装置のラインシーケンスは、左サウンド・チャンネル・インターフェース−右サウンド・チャンネル・インターフェース−接地インターフェース−マルチメディア端子インターフェースである（具体的には、ＬＲＧＭラインシーケンスでもよい）。第２の電源および第２の抵抗器がマルチメディア端子インターフェースの回路上の電圧検出点に設けられている。初期設定により、第２の電源はオフであり、かつ、第１の電源はオンであり、電源制御ラインは高レベルを出力する。
【００６２】
伝送ライン側の電圧値は、マルチメディア端子の回路に設けられた電圧テスト点を使用することにより検出され、それによって、様々な種類の伝送ラインを識別し、これらの伝送ラインに互換性をもたせる。インターフェース装置に挿入された様々な種類の音声映像データ伝送ラインの概略回路図は、図１１から図１４に示される。図１１は、インターフェース装置に挿入されたＬＲＧＭラインシーケンスイヤホンの概略回路図である。図１２は、インターフェース装置に挿入されたＬＲＭＧラインシーケンスイヤホンの概略回路図である。図１３は、インターフェース装置に挿入された３極イヤホンの概略回路図である。図１４は、インターフェース装置に挿入された音声映像データラインの概略回路図である。
【００６３】
音声映像信号伝送ラインがインターフェース装置に挿入された後、インターフェース装置の動作手順は、図１５Ａおよび１５Ｂに示され、以下の動作を含む。
【００６４】
Ｓ１５０１：電圧検出モジュールは、第１の電圧値を取得するために電圧テスト点で電圧を測定する。次に、Ｓ１５０２が実行される。
【００６５】
Ｓ１５０２：判定モジュールは、第１の電圧値が第１の閾値より大きいか否かを判定し、第１の電圧値が第１の閾値より大きい場合、Ｓ１５０３が実行され、そうではない場合、Ｓ１５０４が実行される。
【００６６】
Ｓ１５０３：判定モジュールは、ＬＲＧＭラインシーケンスイヤホンが挿入されていることを判定する。
【００６７】
Ｓ１５０３における判定結果に基づいて、このラインシーケンスは、インターフェース装置のインターフェースラインシーケンスとの整合性を有しているので、音声映像信号は、インターフェース装置による処理なしで伝送されてもよい。
【００６８】
Ｓ１５０４：判定モジュールは、第１の電圧値が第３の閾値より小さいか否かを判定し、第１の電圧値が第３の閾値より小さい場合、Ｓ１５０５が実行され、そうではない場合、判定モジュールは、識別不可能な信号を制御モジュールに送信し、Ｓ１５０６が実行される。
【００６９】
Ｓ１５０５：判定モジュールは、３極イヤホンが挿入されていることを判定する。
【００７０】
Ｓ１５０５における判定結果は、３極イヤホンである。３極イヤホンのラインシーケンスはインターフェース装置のインターフェースラインシーケンスに適合するので、３極イヤホンはインターフェース装置と互換性がある。
【００７１】
Ｓ１５０６：制御モジュールは、識別不可能な信号を受信した後、第１の電源をオフに切り替え、第２の電源をオンに切り替えるので、第２の抵抗器が分圧を実行し、次に、Ｓ１５０７が実行される。
【００７２】
Ｓ１５０７：電圧検出モジュールは、第２の抵抗器が分圧を実行する状況下で、電圧テスト点で第２の電圧値を測定し、ステップＳ１５０８が実行される。
【００７３】
Ｓ１５０８：判定モジュールは、第２の電圧値を第２の閾値と比較し、第２の電圧値が第２の閾値以下である場合、Ｓ１５０９が実行され、そうではない場合、Ｓ１５１０が実行される。
【００７４】
Ｓ１５０９：音声映像データラインがＬＲＧＭラインシーケンスインターフェース装置に挿入された後に形成されたマルチメディア端子ループにおいて、音声映像端子の抵抗値は依然として７５オームである。その結果、判定モジュールは、音声映像データラインが挿入されていることを判定し、判定結果を制御モジュールに送信し、次に、Ｓ１５１１が実行される。
【００７５】
Ｓ１５１０：判定モジュールは、ＬＲＭＧイヤホンが挿入されていることを判定し、判定結果を制御モジュールに送信し、次に、Ｓ１５１２が実行される。
【００７６】
Ｓ１５１１：制御モジュールは、第２の電源をオフに切り替え、第１の電源をオンに切り替え、低レベルを出力するように電源制御ラインを制御することによりマルチメディア端子インターフェースと接地インターフェースとの間でラインシーケンスを切り替え、それによって、映像パスを確立し、音声映像データラインが挿入されていることに関するメッセージを報告するので、機器側は、このメッセージに応じて音声映像信号を出力する。
【００７７】
音声映像データライン内の映像ループは多重化され、音声信号も映像信号も伝送する能力がある。その結果、音声映像データラインが挿入されていることを識別した後、電源制御ラインが低レベルを出力するように制御されている限り、音声映像データラインは、ＬＲＧＭラインシーケンスインターフェース装置が位置している機器側と互換性があってもよい。機器側は、具体的には、音声信号または映像信号を出力することを判定するが、このことは、本発明の範囲に含まれない。
【００７８】
Ｓ１５１２：制御モジュールは、第２の電源をオフに切り替え、第１の電源をオンに切り替え、低レベルを出力するように電力制御ラインを制御することによりマルチメディア端子インターフェースと接地インターフェースとの間でラインシーケンスを切り替える。このラインシーケンスの概略回路図は図１６に示される。
【００７９】
本発明の実施形態において提供されたインターフェース装置は、上記動作を使用することにより様々な種類の音声映像データ伝送ラインを識別する能力があり、それによって、機器と様々な種類の音声映像データ伝送ラインとの間の互換性を実施する。
【００８０】
実施形態４
実施形態４では、図１７における音声映像信号伝送インターフェース装置の概略回路図により示されるように、インターフェース装置のラインシーケンスは、左サウンド・チャンネル・インターフェース−右サウンド・チャンネル・インターフェース−マルチメディア端子インターフェース−接地インターフェースである。第２の電源および第２の抵抗器は、マルチメディア端子インターフェースの回路上の電圧検出点に設けられている。初期設定により、第２の電源はオフであり、第１の電源はオンであり、電源制御ラインは低レベルを出力する。
【００８１】
本発明の実施形態４において提供されたインターフェース装置では、電源制御ラインは低レベルを出力するので、接地インターフェースおよびマルチメディア端子インターフェースのラインシーケンスが切り替えられる。図１７に示されるように、切り替え後の実際のラインシーケンスはＬＲＧＭである。その結果、音声映像信号伝送ラインがインターフェース装置に挿入された後、上記実施形態３における手順が参照されてもよい。違いは、以下の点にある。
【００８２】
Ｓ１５１１において、本発明の実施形態４の動作は、制御モジュールが第２の電源をオフに切り替え、第１の電源をオンに切り替え、高レベルを出力するために電源制御ラインを制御することによりマルチメディア端子インターフェースと接地インターフェースとの間でラインシーケンスを切り替え（その結果、インターフェース装置のインターフェースラインシーケンスが左サウンド・チャンネル・インターフェース−右サウンド・チャンネル・インターフェース−マルチメディア端子インターフェース−接地インターフェースに切り替えられ）、音声映像データラインが挿入されていることに関するメッセージを報告するので、機器側は、このメッセージに応じて音声映像信号を出力するというものである。
【００８３】
Ｓ１５１２において、本発明の実施形態４の動作は、制御モジュールが第２の電源をオフに切り替え、第１の電源をオンに切り替え、高レベルを出力するように電源制御ラインを制御することによりマルチメディア端子インターフェースと接地インターフェースとの間でラインシーケンスを切り替え、それによって、インターフェース装置のインターフェースラインシーケンスを左サウンド・チャンネル・インターフェース−右サウンド・チャンネル・インターフェース−マルチメディア端子インターフェース−接地インターフェースに切り替えるというものである。
【００８４】
実施形態における上記方法のステップの全部または一部は、関連するハードウェアに指令するプログラムにより実施されることがある。上記プログラムは、コンピュータ読み取り可能な記憶媒体に記憶されることがある。プログラムが実行されるとき、実施形態における上記方法のステップが実行される。記憶媒体は、プログラムコードを記憶することができる任意の媒体、たとえば、ＲＯＭ、ＲＡＭ、磁気ディスク、または光ディスクを含むことがある。
【００８５】
上記説明は、単に本発明の具体的な例示実施形態であり、本発明の保護範囲を限定することは意図されていない。本発明において開示された技術的範囲内で当業者により容易に考え出される変形または置換は、いずれも本発明の保護範囲に含まれるべきである。したがって、本発明の保護範囲は、請求項により保護を求める範囲に従うべきである。
【図１】
0005697764.tif 000002
【図２】
0005697764.tif 000003
【図３】
0005697764.tif 000004
【図４】
0005697764.tif 000005
【図５】
0005697764.tif 000006
【図６】
0005697764.tif 000007
【図７Ａ】
0005697764.tif 000008
【図７Ｂ】
0005697764.tif 000009
【図８】
0005697764.tif 000010
【図９】
0005697764.tif 000011
【図１０】
0005697764.tif 000012
【図１１】
0005697764.tif 000013
【図１２】
0005697764.tif 000014
【図１３】
0005697764.tif 000015
【図１４】
0005697764.tif 000016
【図１５Ａ】
0005697764.tif 000017
【図１５Ｂ】
0005697764.tif 000018
【図１６】
0005697764.tif 000019
【図１７】
0005697764.tif 000020